(57)【要約】【課題】複数の短絡板の組み替えを一体に行うことで、出力電圧の切り替えを正確かつ容易に行うことができる短絡板構造を備えたエンジン発電機を提供する。【解決手段】エンジンにより駆動される同期発電機からの出力電圧を、端子台に設けた出力電圧切替用端子への短絡板１４の取付位置を低電圧位置と高電圧位置とに組み替えることによって低電圧と高電圧とに切り替えるエンジン発電機において、低電圧位置又は高電圧位置に対応して配列された複数の短絡板が、絶縁材料からなるシート部材１７を介してそれぞれ連結されることで端子台に対して一体で着脱可能に形成されている。【選択図】図１
2018186585.tif 000002
【特許請求の範囲】
【請求項１】
エンジンにより駆動される同期発電機からの出力電圧を、端子台に設けた出力電圧切替用端子への短絡板の取付位置を低電圧位置と高電圧位置とに組み替えることによって低電圧と高電圧とに切り替えるエンジン発電機において、前記低電圧位置又は高電圧位置に対応して配列された複数の前記短絡板が、絶縁材料からなる連結部材を介してそれぞれ連結されることで前記端子台に対して一体で着脱可能に形成されていることを特徴とするエンジン発電機。
【請求項２】
前記連結部材が矩形平板状のシート部材であり、該シート部材の一方の面に前記短絡板の外縁形状に合わせて窪み部を設け、前記短絡板が前記窪み部の周縁に形成された係止片によって該窪み部に嵌め込まれた状態で保持されていることを特徴とする請求項１記載のエンジン発電機。
【請求項３】
前記シート部材が可撓性を有する軟質材料からなることを特徴とする請求項２記載のエンジン発電機。
【請求項４】
前記シート部材における前記短絡板が嵌め込まれた面と反対側の面に、前記低電圧位置に対応して配列された短絡板と、前記高電圧位置に対応して配列された短絡板とを識別するための文字が印字されたことを特徴とする請求項２又は３記載のエンジン発電機。
【発明の詳細な説明】
【技術分野】
【０００１】
本発明は、エンジン発電機に関し、詳しくは、端子台に設けられている出力電圧切替用端子への短絡板の取付位置を変更することで発電機の出力電圧を切り替えるエンジン発電機に関する。
【背景技術】
【０００２】
エンジンで同期発電機を駆動して発電する可搬式のエンジン発電機では、使用場所や負荷に応じて出力電圧を低電圧（例えば２００Ｖ）と高電圧（例えば４００Ｖ）とに切替可能とし、端子台に設けられている電機子端子への短絡板の取付位置を変更することで出力電圧を切り替えるようにしたものが広く使用されている。さらに、低電圧位置に対応した短絡板の取付位置と高電圧位置に対応した短絡板の取付位置とを識別する表示を端子台に設けて、短絡板の取り付け間違いを防止したものも知られている（例えば、特許文献１，２参照。）。
【先行技術文献】
【特許文献】
【０００３】
【特許文献１】特開２０００−１８４７９６号公報
【特許文献２】特開２０１０−２５２４７９号公報
【発明の概要】
【発明が解決しようとする課題】
【０００４】
従来の短絡板を組み替える作業では、複数の短絡板がそれぞれ正しい位置に取り付けられたか否かを目視で確認していたので、見落としによる間違いを防止するための高い信頼性を図る上では不十分であった。また、短絡板の形状が薄くて小さいので、端子台に対して着脱する際に、手が滑って短絡板を落下させ易いという問題があった。
【０００５】
そこで本発明は、複数の短絡板の組み替えを一体に行うことで、出力電圧の切り替えを正確かつ容易に行うことができる短絡板構造を備えたエンジン発電機を提供することを目的としている。
【課題を解決するための手段】
【０００６】
上記目的を達成するため、本発明のエンジン発電機は、エンジンにより駆動される同期発電機からの出力電圧を、端子台に設けた出力電圧切替用端子への短絡板の取付位置を低電圧位置と高電圧位置とに組み替えることによって低電圧と高電圧とに切り替えるエンジン発電機において、前記低電圧位置又は高電圧位置に対応して配列された複数の前記短絡板が、絶縁材料からなる連結部材を介してそれぞれ連結されることで前記端子台に対して一体で着脱可能に形成されていることを特徴としている。
【０００７】
また、本発明のエンジン発電機は、前記連結部材が矩形平板状のシート部材であり、該シート部材の一方の面に前記短絡板の外縁形状に合わせて窪み部を設け、前記短絡板が前記窪み部の周縁に形成された係止片によって該窪み部に嵌め込まれた状態で保持されていることを特徴としている。
【０００８】
さらに、前記シート部材が可撓性を有する軟質材料からなることを特徴とし、加えて、前記シート部材における前記短絡板が嵌め込まれた面と反対側の面に、前記低電圧位置に対応して配列された短絡板と、前記高電圧位置に対応して配列された短絡板とを識別するための文字が印字されたことを特徴としている。
【発明の効果】
【０００９】
本発明のエンジン発電機によれば、設定電圧の位置に対応して配列された複数の短絡板が、絶縁性のある連結部材を介してそれぞれ連結した状態で形成されているので、端子台に対して複数の短絡板を一体で着脱することが可能となり、出力電圧の切り替えを正確かつ容易に行うことができる。
【００１０】
また、連結部材が柔軟性のある矩形平板状のシート部材で形成されているので、出力電圧切替用端子と短絡板とを密着させて、確実な電気的接触を得ることができるとともに、短絡板を着脱する際の作業性を向上させることができる。さらに、シート部材に印字された設定電圧を識別する文字を見ることで、短絡板を取り付ける際の向きを迷うことがなくなり、取付後においても設定電圧をより容易に確認することができる。
【図面の簡単な説明】
【００１１】
【図１】本発明の一形態例を示すもので、出力電圧を低電圧に設定するときの端子台への短絡板の取付状態を示す説明図である。
【図２】図１のＩＩ−ＩＩ断面図である。
【図３】同じく、出力電圧を高電圧に設定するときの端子台への短絡板の取付状態を示す説明図である。
【図４】図３のＩＶ−ＩＶ断面図である。
【図５】同期発電機の一例を示す電気回路図である。
【図６】同じく、同期発電機の端子台の正面図である。
【発明を実施するための形態】
【００１２】
まず、エンジンによって同期発電機を駆動して発電を行うエンジン発電機は、同期発電機の電機子コイルを２分割し、２分割した電機子コイルを直列接続することで高電圧を、２分割した電機子コイルを並列接続することで低電圧を出力するように形成されている。
【００１３】
すなわち、図５に示すように、同期発電機１１は、Ｕ相、Ｖ相、Ｗ相の３相の各電機子コイル１２を中性点Ｏに接続するとともに、各電機子コイル１２を内側コイル１２ａと外側コイル１２ｂとに２分割し、内側コイル１２ａと外側コイル１２ｂとを直列接続又は並列接続することによって出力電圧を高電圧と低電圧とに切替可能としている。
【００１４】
各コイルの内端や外端及び中性点は、これらにそれぞれ対応させて端子台１３に設けた出力電圧切替用端子１３ａにそれぞれ接続されており、直列接続する場合には、Ｕ相における内側コイル１２ａの外端Ｕ２と、外側コイル１２ｂの内端Ｘ１とが接続される。Ｖ相及びＷ相も同様にして各内外コイルがそれぞれ直列接続された状態（図示せず）になると、各外側コイル１２ｂの外端Ｕ１，Ｖ１，Ｗ１から遮断器１５を介して出力端子台１６の各出力端子Ｕ，Ｖ，Ｗに高電圧（例えば４００Ｖ又は４４０Ｖ）の三相交流が出力される。
【００１５】
一方、並列接続する場合には、Ｕ相における内側コイル１２ａの外端Ｕ２と、外側コイル１２ｂの外端Ｕ１とが接続されるとともに、外側コイル１２ｂの内端Ｘ１が中性点Ｏに接続される。Ｖ相及びＷ相も同様にして各内外コイルがそれぞれ並列接続された状態（図示せず）になると、各外側コイル１２ｂの外端Ｕ１，Ｖ１，Ｗ１から遮断器１５を介して出力端子台１６の各出力端子Ｕ，Ｖ，Ｗに低電圧（例えば２００Ｖ又は２２０Ｖ）の三相交流が出力される。このように、各出力電圧切替用端子１３ａの接続状態を短絡板１４で組み替えることにより、高電圧出力状態と、低電圧出力状態とに切り替えることができる。
【００１６】
また、端子台１３は、図６に示すように、絶縁性のある樹脂材料（例えば不飽和ポリエステル樹脂）で矩形平板状に形成された端子板１３ｂに、１２個の出力電圧切替用端子１３ａを所定間隔毎に４行３列の行列状に配設したものであり、各出力電圧切替用端子１３ａには、出力電圧に応じた所定位置に短絡板１４を螺着するための雌ねじ孔１３ｃが設けられ、前述の各コイルの内端や外端及び中性点に接続する配線（図示せず）が、配線接続部１３ｄにそれぞれ接続されている。
【００１７】
図１乃至図４は、出力電圧を低電圧又は高電圧に設定する際の端子台１３への短絡板１４の取付状態を示すものであり、設定電圧位置に対応して配列された複数の短絡板１４が、低電圧設定用のシート部材１７又は高電圧設定用のシート部材１８を介してそれぞれ連結された状態で、固定ボルト１９を用いて端子台１３に対して一体で着脱可能に形成されている。
【００１８】
図１及び図２は、出力電圧を低電圧に設定する際の端子台１３への短絡板１４の取付状態を示すものである。図１に示すように、出力電圧切替用として用いられる６個の短絡板１４は、長手方向に延びた金属板の両端部の取付面を出力電圧切替用端子１３ａに密着させて、一組の出力電圧切替用端子１３ａ，１３ａ間の電気的接続を確立できるように形成され、端子Ｕ１，Ｕ２間、端子Ｘ１，Ｏ間、端子Ｖ１，Ｖ２間、端子Ｙ１，Ｏ間、端子Ｗ１，Ｗ２間、端子Ｚ１，Ｏ間のそれぞれを接続して端子台１３に取り付けられる位置に配列するとともに、図２に示すように、シート部材１７に設けられた窪み部１７ａに嵌め込まれた状態で保持されている。
【００１９】
シート部材１７は、柔軟性のある軟質ゴム（例えばクロロプレンゴム）からなる略矩形状の板部材であり、端子台１３に取り付けた状態で全ての出力電圧切替用端子１３ａを覆う大きさに形成され、端子台１３に取り付ける側の面に、短絡板１４の外縁形状に合わせて窪み部１７ａが設けられている。また、窪み部１７ａの周縁には、長手方向に対向して一対の係止片１７ｂが設けられ、短絡板１４を窪み部１７ａに一旦嵌めると抜けにくくするとともに、先端が出力電圧切替用端子１３ａと接触しない程度に突出して形成されている。さらに、窪み部１７ａには、短絡板１４に設けられたボルト挿通孔１４ａに対応する位置に、固定ボルト１９によってシート部材１７が挟まれることを防止するための逃がし孔１７ｃが設けられている。
【００２０】
このように、低電圧の位置に対応して配列された複数の短絡板１４が、シート部材１７に嵌め込まれた状態で保持されているので、端子台１３に対して複数の短絡板１４を一体で着脱することが可能となり、出力電圧の切り替えを迅速かつ確実に行うことができるとともに、誤った位置に短絡板１４を取り付けた状態で発電機を運転してしまうことを防止できる。
【００２１】
また、柔軟性のあるシート部材１７を用いるので、出力電圧切替用端子１３ａと短絡板１４とを密着させて、確実な電気的接触を得ることができる上に、嵌め込まれた短絡板１４が係止片１７ｂで保持されるので、短絡板１４がシート部材１７から脱落してしまうことを防止できる。さらに、シート部材１７が略矩形状の板部材であることから、シート部材１７を安定して把持できるので、端子台１３への位置合わせが容易となり、短絡板１４を着脱する際の作業性がより向上する。
【００２２】
また、窪み部１７ａが形成された面とは反対側の面、すなわち、取付時に外側を向く面に設けられた設定電圧表示部２０に、出力電圧が低電圧に設定された状態を識別する「２００Ｖ繋ぎ用」の文字が印字されている。このように、シート部材１７に印字された文字を見ることで、短絡板１４を取り付ける際の向きを迷うことがなくなり、取付後においても設定電圧をより容易に確認することができる。
【００２３】
ここで、出力電圧を低電圧から高電圧に設定する場合には、端子台１３から低電圧設定用のシート部材１７を取り外し、予め複数の短絡板１４を嵌め込んで用意しておいた高電圧設定用のシート部材１８を取り付ける。
【００２４】
図３及び図４は、出力電圧を高電圧に設定する際の端子台１３への短絡板１４の取付状態を示すものである。図３に示すように、出力電圧切替用として用いられる３個の短絡板１４は、端子Ｕ２，Ｘ１間、端子Ｖ２，Ｙ１間、端子Ｗ２，Ｚ１間のそれぞれを接続して端子台１３に取り付けられる位置に配列するとともに、図４に示すように、シート部材１８に設けられた窪み部１８ａに嵌め込まれた状態で保持されている。
【００２５】
また、窪み部１８ａが形成された面とは反対側の面に設けられた設定電圧表示部２１に、出力電圧が高電圧に設定された状態を識別する「４００Ｖ繋ぎ用」の文字が印字されている。なお、シート部材１８の材質、板厚及び外形は、前述の低電圧設定用のシート部材１７と共通に設計されており、短絡板１４の取付構造についても、低電圧設定用のシート部材１７と共通の構造であるので、同一の符号を付して説明は省略する。
【００２６】
このように、出力電圧を設定する際には、予め複数の短絡板１４が組み込まれた低電圧設定用のシート部材１７又は高電圧設定用のシート部材１８を端子台１３に対して選択的に取り付けるだけでよいので、出力電圧の切り替えを正確かつ容易に行うことができる。また、各シート部材１７，１８の外形寸法を共通にすることで、端子台１３に取り付けたときの各シート部材１７，１８の外縁を揃えることが可能となり、端子台１３への位置合わせに用いる表示（例えばマーキング）も共通の位置に設けることができる。
【００２７】
さらに、出力電圧の設定後においても、端子台１３の表面が各シート部材１７，１８で覆われているので、出力電圧切替用端子１３ａに接続された配線が露出することを防止でき、安全性がより向上する。加えて、端子台１３の設計変更や改造が不要であり、一組のシート部材１７，１８を用意するだけで既販のエンジン発電機にも容易に本発明を適用することができる。
【００２８】
なお、シート部材は絶縁性を有するものであれば硬質の樹脂材料（例えばＦＲＰ：繊維強化プラスチック）などで形成されてもよく、この場合、複数の短絡板を接着、ねじ止め、嵌合などの接合手段によって取り付けることができる。また、シート状の部材を連結部材として用いることに限定されず、格子状に形成された枠体に複数の短絡板を接合した格子状連結部材などを用いることもできる。
【符号の説明】
【００２９】
１１…同期発電機、１２…電機子コイル、１２ａ…内側コイル、１２ｂ…外側コイル、１３…端子台、１３ａ…出力電圧切替用端子、１３ｂ…端子板、１３ｃ…雌ねじ孔、１３ｄ…配線接続部、１４…短絡板、１４ａ…ボルト挿通孔、１５…遮断器、１６…出力端子台、１７…シート部材、１７ａ…窪み部、１７ｂ…係止片、１７ｃ…逃がし孔、１８…シート部材、１８ａ…窪み部、１９…固定ボルト、２０，２１…設定電圧表示部
【図１】
2018186585.tif 000003
【図２】
2018186585.tif 000004
【図３】
2018186585.tif 000005
【図４】
2018186585.tif 000006
【図５】
2018186585.tif 000007
【図６】
2018186585.tif 000008